(57)【要約】【課題】封緘機能を持たせることにより異物の進入を防止し、不正行為を抑止した、液体容器用吐出器のノズルヘッドを提供する。【解決手段】頂壁２３外周から垂下されたヘッド周壁２４を有し、ヘッド周壁からノズル３２が側外方へ突設され、かつノズル３２と連通する通液管２６が頂壁の下方へ突設されてなるヘッド本体２２と、頂壁２３上面からノズル３２の先端部３４の上面へ延びる連結バンド４２を有し、この連結バンド４２の基部４４に設けられた係止部Ｓを前記頂壁２３に係止し、その連結バンド４２の先部４６に付した閉塞部５０でノズル孔３６を塞ぐ封緘カバー４０とを具備する。前記連結バンド４２を、閉塞部５０と連なるバンド本体Ｂと前記係止部Ｓの周りの分離用片Ｄとに分離可能とし、バンド本体Ｂを分離用片Ｄから分離しない限り、閉塞部５０をノズル３２から離脱できないロック状態となるように形成する。【選択図】図１
2018058597.tif 000002
【特許請求の範囲】
【請求項１】
頂壁(２３)外周から垂下されたヘッド周壁(２４)を有し、このヘッド周壁(２４)からノズル(３２)が側外方へ突設され、かつノズル(３２)と連通する通液管(２６)が頂壁(２３)の下方へ突設されてなるヘッド本体(２２)と、
前記頂壁(２３)上面からノズル(３２)の先端部(３４)の上面へ延びる連結バンド(４２)を有し、この連結バンド(４２)の基部(４４)に設けられた係止部(Ｓ)を前記頂壁(２３)に係止するとともに、その連結バンド(４２)の先部(４６)に付設された閉塞部(５０)で、前記ノズル(３２)のノズル孔(３６)を塞ぐことが可能に形成した封緘カバー(４０)と、
を具備する液体容器用吐出器のノズルヘッドであって、
前記連結バンド(４２)を、前記閉塞部(５０)と連なるバンド本体(Ｂ)と前記係止部(Ｓ)の周りの分離用片(Ｄ)とに分離可能な破断線(ｗ)が形成されており、
前記バンド本体(Ｂ)を分離用片(Ｄ)から分離しない限り、前記閉塞部(５０)を前記ノズル(３２)から離脱できないロック状態となるように形成したことを特徴とする液体容器用吐出器のノズルヘッド。
【請求項２】
前記閉塞部(５０)は、ノズル(３２)のノズル孔(３６)を密に閉塞するシール部であることを特徴とする、
請求項１記載の液体容器用吐出器のノズルヘッド。
【請求項３】
前記連結バンド(４２)は、可撓性を有し、前記破断線(ｗ)が破断された状態において、その連結バンド(４２)と閉塞部(５０)との間の角部(４８)を支点として、バンド本体(Ｂ)がヘッド本体(２２)の上面に接した状態と当該上面から離れた状態との間で回動することが可能に形成したことを特徴とする、請求項１又は請求項２記載の液体容器用吐出器のノズルヘッド。
【請求項４】
上方にステム(１６)を突出するとともに容器体口頸部への装着部材(４)を有する吐出器本体(２)と、そのステムに前記通液管(２６)が固定された請求項１から請求項３の何れかに記載のノズルヘッド(２０)とを具備した液体容器用吐出器であり、
前記装着部材(４)は、口頸部(１０２)に対する封緘手段(６)を有することを特徴とする液体容器用吐出器。
【発明の詳細な説明】
【技術分野】
【０００１】
本発明は、液体容器用吐出器及び液体容器用吐出器のノズルヘッドに関するものである。
【背景技術】
【０００２】
従来、ノズルヘッド付きの液体吐出器として、容器体の口頸部に嵌合された装着部材により、上部を固定され容器体内へ垂設されたシリンダと、シリンダ内へ下半部を上方付勢状態で挿入した作動部材と、シリンダの上端に付設された、作動部材抜止め用の環状のキャップ状部材とからなるものが知られている（特許文献１）。
前記作動部材は、嵌合用筒の下端からフランジ状壁部を外方突出してなるピストンガイドと、前記嵌合用筒に嵌合され、上方へ起立するステムと、ステムの下端の拡径筒部とフランジ状壁との間に昇降可能に配置され、シリンダ内面を摺接する筒状ピストンと、前記ステムの上端に取り付けられたノズルヘッドと、を有する。
【先行技術文献】
【特許文献】
【０００３】
【特許文献１】特開２０１５−８５９９１
【発明の概要】
【発明が解決しようとする課題】
【０００４】
特許文献１の吐出器は、ノズルの先端がむき出しであるため、ノズル孔に埃などが入るおそれがあり、衛生的ではない。
またこの種の吐出器では、内容液を試用するためにノズルヘッドを不正に押し下げようとする場合があるが、さらには内容液の香りを嗅ぐために、ステムからノズルヘッドを、或いはシリンダからキャップ部材を外したりすることがある。そうして、元の形に戻すと、取り外されたどうか判らなくなってしまう。これらの行為を是正して、一般の需要者が安心して製品を購入できるようにすることが要望されている。
【０００５】
本発明の目的は、液体容器用吐出器ないしはそのノズルヘッドに封緘機能を持たせることにより、不正行為を防止できるようにすること、或いは、異物の進入を防止できるようにすることである。
【課題を解決するための手段】
【０００６】
第１の手段は、
頂壁２３外周から垂下されたヘッド周壁２４を有し、このヘッド周壁２４からノズル３２が側外方へ突設され、かつノズル３２と連通する通液管２６が頂壁２３の下方へ突設されてなるヘッド本体２２と、
前記頂壁２３上面からノズル３２の先端部３４の上面へ延びる連結バンド４２を有し、この連結バンド４２の基部４４に設けられた係止部Ｓを前記頂壁２３に係止するとともに、その連結バンド４２の先部４６に付設された閉塞部５０で、前記ノズル３２のノズル孔３６を塞ぐことが可能に形成した封緘カバー４０と、
を具備する液体容器用吐出器のノズルヘッドであって、
前記連結バンド４２を、前記閉塞部５０と連なるバンド本体Ｂと前記係止部Ｓの周りの分離用片Ｄとに分離可能な破断線ｗが形成されており、
前記バンド本体Ｂを分離用片Ｄから分離しない限り、前記閉塞部５０を前記ノズル３２から離脱できないロック状態となるように形成している。
【０００７】
本手段は、図１に示すように、ノズルヘッド２０を、ノズル３２を有するヘッド本体２２と封緘カバー４０とで構成することを提案する。封緘カバー４０は、ノズル３２のノズル孔３６を塞ぐ閉塞部５０とヘッド本体２２とを連結する連結バンド４２を有し、この連結バンド４２の基部４４に設けられた係止部Ｓがヘッド本体２２の頂壁２３に係止されている。そして係止部Ｓの回りのバンド部分は、残りのバンド部分から分離可能な分離用片Ｄに形成されており、連結バンド４２を外そうとすると、分離用片Ｄがヘッド本体２２に残るので、不正使用の痕跡が明瞭に残る（図４参照）。これにより、不正行為を効果的に抑止することができる。
【０００８】
第２の手段は、第１の手段を有し、かつ
前記閉塞部５０は、ノズル３２のノズル孔３６を密に閉塞するシール部である。
【０００９】
本手段では、閉塞部がノズル孔３６を密に閉塞するシール部に形成されている。これにより、ノズル孔３６内に埃などが入ることを防止できる。さらに好適な一例として、図１に示すように、前記閉塞部５０は、栓板部ｊの裏面中心に栓棒部ｋを付設してなるシール栓部としている。そして栓棒部ｋをノズル孔３６に密嵌させた状態で連結バンド４２が閉塞部５０とヘッド本体２２の頂壁２３とを緊密に連結するので、ノズル孔内に異物を進入する行為を阻止できる。
【００１０】
第３の手段は、第１の手段又は第２の手段を有し、かつ
前記連結バンド４２は、可撓性を有し、前記破断線ｗが破断された状態において、その連結バンド４２と閉塞部５０との間の角部４８を支点として、バンド本体Ｂがヘッド本体２２の上面に接した状態と当該上面から離れた状態との間で回動することが可能に形成している。
【００１１】
本手段は、例えば図１の状態から図３の状態へ、連結バンド４２のバンド本体Ｂが、連結バンド４２と閉塞部５０との間の角部を支点として、縦方向に回動することが可能に設けている。
なお、「回動」という用語は、図３に示す如く連結バンドが撓み変形しながら回ることを含むものである。
【００１２】
第４の手段は、上方にステム１６を突出するとともに容器体口頸部への装着部材４を有する吐出器本体２と、そのステムに前記通液管２６が固定された第１の手段から第３の手段の何れかに記載のノズルヘッド２０とを具備した液体容器用吐出器であり、
前記装着部材４は、口頸部１０２に対する封緘手段６を有する。
【００１３】
本手段は、吐出器本体２のステム１６からノズルヘッド２０を取り外し、或いは容器体の口頸部から吐出器本体２を取り外すような不正行為を困難とする態様を提案する。
【発明の効果】
【００１４】
第１の手段に係る発明によれば、封緘カバー４０は、ヘッド本体２２の頂壁２３及びノズル３２を塞ぐ閉塞部５０を連結バンド４２で連結し、この連結バンド４２を閉塞部５０と連なるバンド本体Ｂと頂壁２３へ係止された分離用片Ｄとに分離可能としたから、不正に連結バンド４２を外そうとすると分離用片Ｄが頂壁に残り、不正行為が露見する。これにより、簡易な構成で内容物の不正取出し行為を抑止することができ、製造コストを廉価に抑えることができる。
第２の手段に係る発明によれば、前記閉塞部５０は、ノズル孔を密に閉塞するシール部であるので、ノズル孔３６への埃などの異物が入ることが防止される。
第３の手段に係る発明によれば、連結バンド４２は、可撓性を有し、前記破断線ｗが破断された状態において、その連結バンド４２と閉塞部５０との間の角部４８を支点として、バンド本体Ｂがヘッド本体２２の上面に接した状態と当該上面から離れた状態との間で回動するから、利用者が連結バンドを取り外そうとするときに操作が容易である。
第４の手段に係る発明によれば、容器体の口頸部に対する封緘手段６を備えた吐出器本体２のステム１６に第１の手段から第３の手段のいずれかに記載のノズルヘッドの通液管２６が固定されたから、ステムからノズルヘッドを、或いは、口頸部から吐出器本体を不正に取り外す行為が困難となる。
【図面の簡単な説明】
【００１５】
【図１】本発明の実施形態に係る液体容器用吐出器を容器体に装着した状態の縦断面図である。
【図２】図１の吐出器の平面図である。
【図３】図１の吐出器のノズルヘッドから封緘カバーを除去する作業の説明図である。
【図４】図１の吐出器のノズルヘッドから封緘カバーを除去した後の平面図である。
【図５】図１の吐出器のノズルヘッドの封緘カバーを組み付ける作業の説明図である。
【発明を実施するための最良の形態】
【００１６】
図１から図５は、本発明の第１実施形態に係る液体容器用吐出器である。この吐出器１は、吐出器本体２と、ノズルヘッド２０とで構成される。これらの部材は、例えば合成樹脂や金属で形成することができる。
【００１７】
吐出器本体２は、装着部材４と、ポンプシリンダ８と、キャップ状部材１０と、作動部材本体１４と、補助筒部材１８とで形成されている。
【００１８】
装着部材４は、容器体１００の口頸部１０２外面へ嵌合（図示例では螺合）可能な装着筒部４ａを有し、その装着筒部４ａの上端から内向きフランジ部４ｂを内方突出している。
装着筒部４ａの下端には封緘手段６が付設されている。図示の封緘手段６は、装着筒部４ａの下端に複数の破断片６ｂを介して、口頸部１０２を囲む封緘リング６ａを連結するとともに、封緘リング６ａの内面から弾性を有する複数の爪部６ｃを上内方へ突出して形成してなる。
これらの爪部６ｃは、前記口頸部１０２の外面に付設された横方向の係合リブ１０４の下面に係止されている。前記爪部６ｃは、装着部材４を口頸部１０２に嵌合させるときには、前記係合リブ１０４と接触して外側に押し込まれ、係合リブ１０４を乗り越えたときに、内方へ広がって係合リブ１０４の下面に係止するように形成されている。もっともこれらの構造は適宜変更することができる。
【００１９】
前記ポンプシリンダ８は、シリンダ周壁８ａの上部に鍔部８ｂを有する。この鍔部８ｂを、パッキンＰを介して前記内向きフランジ部４ｂと口頸部１０２の上端との間に挟持させることにより、前記ポンプシリンダ８は容器体１００内に支持されている。ポンプシリンダ８の下端からは吸上げパイプ９が垂下されている。シリンダ周壁８ａの下部内には第１逆止弁（図示せず）が形成されている。また前記シリンダ周壁８ａを鍔部８ｂ上方へ延長して延長筒部８ｃを形成している。
【００２０】
キャップ状部材１０は、後述の作動部材本体１４及び補助筒部材１８の抜け止めのために、ポンプシリンダ８に対して、好ましくは取り外しできないように固定されている。
図示例のキャップ状部材１０は、連結壁部ｃで内筒部１１Ａ及び外筒部１１Ｂの上端を連結してなる嵌合基部１０ａを有し、前記連結壁部ｃを側外方へ延長して、この延長壁部の外周からキャップ筒部１０ｂを垂下している。さらに前記嵌合基部１０ａの内筒部１１
Ａから上方へ取付筒部１０ｃが延設されている。
そして前記嵌合基部１０ａの内筒部１１Ａ及び外筒部１１Ｂの間に前記延長筒部８ｃを挟持し、嵌着している。
【００２１】
作動部材本体１４は、従来公知の構造であり、例えば前記特許文献１と同様の構成とすることができる。すなわち、嵌合用筒の下端からフランジ状壁部を外方突出してなるピストンガイド（図示せず）と、前記嵌合用筒に嵌合され、上方へ起立するステム１６と、ステムの下端の拡径筒部とフランジ状壁部との間に昇降可能に配置された筒状ピストン（図示せず）とを有する。
前記筒状ピストンは、シリンダ周壁８ａの内面に摺接する大径筒部及び前記拡径筒部に摺接する小径筒部からなる２重筒状に形成されている。
前記フランジ状壁部と筒状ピストンの小径筒部との間に第２逆止弁が設けられており、この第２逆止弁とステムの内部とを連通する通液孔がステム又はピストンガイドの適所に設けられている。
作動部材本体１４は、従来公知の構造であり、例えば前記特許文献１と同様の構成とすることができる。すなわち、嵌合用筒の下端からフランジ状壁部を外方突出してなるピストンガイド（図示せず）と、前記嵌合用筒に嵌合され、上方へ起立するステム１６と、ステムの下端の拡径筒部とフランジ状壁部との間に昇降可能に配置された筒状ピストン（図示せず）とを有する。
前記筒状ピストンは、シリンダ周壁８ａの内面に摺接する大径筒部及び前記拡径筒部に摺接する小径筒部からなる２重筒状に形成されている。
前記フランジ状壁部と筒状ピストンの小径筒部との間に第２逆止弁が設けられており、この第２逆止弁とステムの内部とを連通する通液孔がステム又はピストンガイドの適所に設けられている。
なお、一般的には、作動部材本体のステムにノズルヘッドを付設したものを、作動部材と言うが、本明細書では、作動部材本体とノズルヘッドとを別々に説明する。
【００２２】
補助筒部材１８は、前記ステム１６と、シリンダ周壁８ａ及びキャップ状部材１０との間に昇降可能に配置されており、シリンダ周壁８ａの上部に形成された通気孔（図示せず）を、作動部材の昇降に応じて開閉する機能を有する。補助筒部材１８の下半部は段差部（図示せず）を介して大径に形成されており、その段差部がキャップ状部材１０の下端に係止することにより、補助筒部材１８及び作動部材本体１４の上方抜出しを防止している。
上述の特許文献１の構造は一例に過ぎず、その他従来公知の構造を採用できる。
【００２３】
前述の吐出器本体２の公知の作用を簡単に説明する。そのステム１６にノズルヘッド２０を取り付け、装着部材４を容器体１００の口頸部１０２に取り付けて、作動部材を押し下げると、第１逆止弁が閉じ、第２逆止弁が開いてポンプシリンダ８内の液体がステム１６を介して後述のノズル３２から吐出され、押下げを解放すると、作動部材が押し上げられて、第２逆止弁が閉じるとともに第１逆止弁が開き、容器体内の液体が第１逆止弁を介してポンプシリンダ８内へ入る。
【００２４】
ノズルヘッド２０は、図１に示す如く、ヘッド本体２２と封緘カバー４０とで構成される。
【００２５】
ヘッド本体２２は、図示例において、頂壁２３の外周から大径のヘッド周壁２４を、頂壁２３の裏面から中径の取付周壁２８及び小径の通液管２６をそれぞれ同心状に垂下している。もっともこれらの構造は適宜変更することができる。
前記頂壁２３の中心部には、後述の係止部Ｓを係止させるための被係止部Ｒを形成している。図示例では、係止部Ｓを係止凸部とし、かつ被係止部Ｒを被係止凹部（孔）としているが、係止部Ｓを凹部（孔）とし、かつ被係止部を凸部としても構わない。
好適な図示例では、前記ヘッド周壁２４は、前記キャップ筒部１０ｂの上端へ延びており、そのヘッド周壁２４とキャップ筒部１０ｂとの間の隙間がほとんどないようにしている。
前記取付周壁２８は、図１の状態において、前記取付筒部１０ｃの外面に離脱可能に嵌合（図示例では螺合）されている。
前記通液管２６は、前記ステム１６の上端部内面に嵌着され、固定されている。図示例では、通液管２６の下部外面とステム１６の上部内面と相互にかみ合う抜止め用の凹凸手段を周設している。
この通液管２６の上部外面には縦リブ２７が設けられており、図１の状態でステム１６及び補助筒部材１８の各上端を当接（或いは近接）させている。
なお、前記取付筒部１０ｃは、取付周壁２８の内面に代えて、通液管２６の外面に螺合させてもよい。この場合には、ステム１６の上部を通液管２６の内面に嵌合させて、通液管２６の外面に縦リブを設けることを省略し、さらに補助筒部材も省略すればよい。
【００２６】
前記ヘッド周壁２４からは、前記通液管２６に連通するノズル３２が前方突出されている。なお、本明細書においては、便宜的に、図１の左側を前方と、同図の右側を後方といい、またこれらと直交する方向を左右方向というものとする。図示例のノズル３２の先端面ｅは斜め下向きに形成されている。
好適な図示例では、ヘッド本体２２の頂壁２３の上面とノズル３２の上面とがほぼ面一になっている。またこれら頂壁２３及びノズル３２の上面は、図２に示すように後ろ側から前側に向かって徐々に先細りした形状になっている。
【００２７】
前記封緘カバー４０は、連結バンド４２と、閉塞部５０とからなる。
連結バンド４２は、頂壁２３と閉塞部５０とを連結する役割を有し、可撓性を有する材料で形成されている。連結バンド４２の後部（基部）４４には、前述の被係止部Ｒに対して抜け出し不能に係止させるための係止部Ｓが形成されており、連結バンド４２の前部（先部）４６は、一定の剛性を有する角部４８を介して閉塞部５０に連結している。
好適な図示例では、図１に示すように、連結バンド４２は、前記頂壁２３の上面からノズル３２の上面に亘って載置されている。連結バンド４２の後端部は、前記係止部Ｓより後方へ突出された自由端であり、摘みｇとしての役割を有する。
【００２８】
連結バンド４２は、図２に示すように、前記閉塞部５０と連続するバンド本体Ｂと、前記係止部Ｓを有する分離用片Ｄとに分離できる破断線ｗを有する。図示例の破断線ｗは、前記係止部Ｓを囲むループ形状に形成されており（図２参照）、この破断線ｗの内部を分離用片Ｄに、破断線の外部をバンド本体Ｂに形成している。しかしながら、この構造は適宜変更することができる。すなわち、破断線ｗはループである必要はなく、両端が連結バンド４２の周縁にある一本の破断線（例えば連結バンド４２を前後両半部に破断するように幅方向に横断する線）としてもよい。
図示例では、連結バンド４２は分離用片Ｄを形成した箇所で最も巾広であり、前後方向に向かって巾狭の形状にしている。これにより分離用片Ｄの大きさを十分に確保できる。
【００２９】
前記閉塞部５０は、前記角部４８から突出され、ノズル３２のノズル孔３６を塞ぐように形成されている。
好適な一実施例として、閉塞部５０がノズル孔３６を液密に閉塞するようにしてもよいが、必ずしも、この形態に限られるものではない。閉塞部５０は、少なくとも封緘カバー４０を装着したままでノズルヘッドを押し下げたときに、ノズルからの内容液の取り出しを邪魔するように、ノズルの突出方向から見てノズル孔３６を覆う位置に配置されており、かつ当該位置から不正に引き離せないように形成されていればよい。
図示例の閉塞部５０は、前記角部４８から突出した栓板部ｊと、栓板の裏面中央部からノズル３２のノズル孔３６に液密に突入する栓棒部ｋとで形成されている。前記栓板部ｊは、ノズル３２の先端面ｅに添って後下方へ斜めに突出している。
【００３０】
前記封緘カバー４０をヘッド本体２２に組み付けるときには、まず図５に黒矢印で示すように閉塞部５０の栓棒部ｋをノズル孔３６内へ押し込んで密嵌させ、次に連結バンド４２の後ろ側を白矢印で示すように、押し下げるとよい。そうすると連結バンド４２は図５に実線で示す位置から図１に実線で示す位置までの短い範囲を、縦方向下向きに回転し、係止部Ｓが被係止部Ｒに嵌入し、離脱不能に係止される。
図示例では、ヘッド本体２２を吐出器本体２に装着した状態で、ノズル本体に封緘カバー４０を組み付けているが、予め封緘カバーをノズル本体に組み付けても構わない。
また図１の状態において、封緘手段６の爪部６ｃが口頸部１０２の係合リブ１０４下面に係止しているので、装着部材４を口頸部１０２から外そうとすると、破断片６ｂが破断して封緘リング６ａが落下して口頸部１０２下方に残るで、不正行為の痕跡が残り、こうした行為を行い難くなる。
封緘カバー４０の閉塞部５０は、ノズル孔３６へ異物が入らないようにノズル３２の先端面ｅを覆っており、これにより製品の信頼性が確保される。
【００３１】
この吐出器１を使用するときには、摘みｇを掴んで引き上げると、破断線ｗが破断し、分離用片Ｄを頂壁２３上に残して、バンド本体Ｂが図１に示す位置から図３に示す位置へ縦方向上側に回転する。これにより不正行為の痕跡が明瞭に残るので、不正行為を行い難くなる。
【符号の説明】
【００３２】
１…吐出器
２…吐出器本体  ４…装着部材  ４ａ…装着筒部  ４ｂ…内向きフランジ部
６…封緘手段  ６ａ…封緘リング  ６ｂ…破断片  ６ｃ…爪部
８…ポンプシリンダ  ８ａ…シリンダ周壁  ８ｂ…鍔部  ８ｃ…延長筒部
９…吸上げパイプ
１０…キャップ状部材  １０ａ…装着基部  １０ｂ…キャップ筒部  １０ｃ…取付筒部
１１Ａ…内筒部  １１Ｂ…外筒部
１４…作動部材本体  １６…ステム  １８…補助筒部材
２０…ノズルヘッド  ２２…ヘッド本体  ２３…頂壁
２４…ヘッド周壁  ２６…通液管  ２７…縦リブ  ２８…取付周壁
３２…ノズル  ３４…先端部  ３６…ノズル孔
４０…封緘カバー  ４２…連結バンド  ４４…基部（後部）  ４６…先部（前部）
４８…角部  ５０…閉塞部
Ｂ…バンド本体  ｃ…連結壁部（キャップ状部材の）  Ｄ…分離用片  
ｅ…先端面（ノズルの）  ｇ…摘み  ｊ…栓板部  ｋ…栓棒部
Ｐ…パッキン  Ｒ…被係止部（被係止孔）  Ｓ…係止部（係止突片）  ｗ…破断線
１００…容器体  １０２…口頸部  １０４…係合リブ
【図１】
2018058597.tif 000003
【図２】
2018058597.tif 000004
【図３】
2018058597.tif 000005
【図４】
2018058597.tif 000006
【図５】
2018058597.tif 000007